(57)【要約】【課題】利用者が電話を掛けようとしたとき自動的に電話番号リストを表示する。【解決手段】電話による音声通話手段と表示手段とを備えた通報用の端末装置において、通報先の名称及び電話番号を少なくとも登録した記憶手段と、音声通話手段の送受話器のオフフックを検出する検出手段と、該検出手段がオフフックを検出したことに応じて前記記憶手段から通報先のデータを読み出して前記表示手段にリスト表示する制御手段とを設けた構成である。【選択図】　　図１
2004096604.tif 000002
【特許請求の範囲】
【請求項１】
電話による音声通話手段と表示手段とを備えた通報用の端末装置において、通報先の名称及び電話番号を少なくとも登録した記憶手段と、音声通話手段の送受話器のオフフックを検出する検出手段と、該検出手段がオフフックを検出したことに応じて前記記憶手段から通報先のデータを読み出して前記表示手段にリスト表示する制御手段とを設けたことを特徴とする通報端末装置。
【請求項２】
電話によるハンズフリー通話手段と表示手段とを備えた通報用の端末装置において、通報先の名称及び電話番号を少なくとも登録した記憶手段と、ハンズフリー通話を指示する通話ボタンの押下を検出する検出手段と、該検出手段の検出出力に応じて前記記憶手段から通報先のデータを読み出して前記表示手段にリスト表示する制御手段とを設けたことを特徴とする通報端末装置。
【請求項３】
電話による音声通話手段と表示手段とを備えた通報用の端末装置において、通報先の名称及び電話番号を少なくとも記憶し、音声通話手段のオフフックを検出し、該検出手段がオフフックを検出したことに応じて前記記憶した通報先のデータを読み出して前記表示手段にリスト表示することを特徴とする通報端末装置における電話番号の表示方法。
【請求項４】
コンピュータを、
通話先の名称と電話番号とを少なくとも記憶する電話番号記憶手段、
送受話器のオフフックを検出する検出手段、
該検出手段のオフフック検出に応じて前記電話番号記憶手段の記憶内容を読み出して表示手段にリスト表示するリスト表示制御手段、
として機能させるためのプログラム。
【発明の詳細な説明】
【０００１】
【発明の属する技術分野】
本発明は、通報システムに係り、特に送受話器のオフフックに応じて登録してある通報先電話番号を自動的にリスト表示する方法に関する。
【０００２】
【従来の技術】
地域住民の家庭に緊急通報用の在宅端末を設置し、自治体の役場や保健所にセンタ装置を設置して、在宅端末からの緊急通報をセンタ装置が２４時間受け付けたり、さらに在宅端末及びセンタ装置の音声通話機能によりセンタの保健婦等が住民の健康相談に応じたり、端末装置同士で会話するシステムがある。例えば、特開平７−１４３２４７号公報には、一般公衆回線を使って在宅端末とセンタ装置とを結び、センタから利用者への健在確認や、住民からの緊急通報を受け付けるシステムが開示されている（特許文献１参照）。
【０００３】
そして、このようなシステムでは、端末装置には緊急通報を発信するための操作ボタン以外に、通常の音声通話即ち電話を掛けるための操作ボタンも備えられている。使用者はその通話ボタンを押してから相手の電話番号をプッシュすることで、通常の電話として使うことができる。また、このようなシステムでは、高齢者でも使い易いように操作ボタンの数を極力減らして設計した専用の端末装置を使用している。また、よく電話を掛ける相手の電話番号を端末装置に登録しておいて、その登録電話番号のリストを表示装置に表示するものがある。これにより、紙の電話帳を開いたりメモを探したりする手間を省くものである。
【０００４】
【特許文献１】
特開平７−１４３２４７号公報
【０００５】
【発明が解決しようとする課題】
利用者が端末装置から電話を掛けようとするとき、登録電話番号のリストを表示装置に表示させるためには、利用者による何らかの操作が必要であった。例えば、リスト表示を指示するためのボタンを押すなどの操作である。しかし、そのような専用の操作ボタンを設けることは、いたずらに操作ボタンの数を増やすことになり、使い易さの低下につながる。また、他の機能と操作ボタンを兼用することでボタン数を増やさない方法もあるが、操作が複雑になり却って使いづらくなってしまう。そこで本願は、利用者が電話を掛けようとしたとき自動的に電話番号リストを表示する方法を提案するものである。
【０００６】
【課題を解決するための手段】
本発明は、電話による音声通話手段と表示手段とを備えた通報用の端末装置において、通報先の名称及び電話番号を少なくとも登録した記憶手段と、音声通話手段の送受話器のオフフックを検出する検出手段と、該検出手段がオフフックを検出したことに応じて前記記憶手段から通報先のデータを読み出して前記表示手段にリスト表示する制御手段とを設け、上記課題を解決するものである。
【０００７】
【実施例】
図１は、実施例の通報システムの概略構成を示す図であり、１は一般公衆回線即ち電話回線あるいはＩＰ接続を使う通信回線による通信網である。２は利用者宅に置かれる端末装置であり、２１はその表示装置、２２は音声通話機能即ち電話機能を使うための送受話器、２４はカーソルキーやキャンセルキー等の各種操作のためのキー群である。尚、端末装置２には送受話器２２を備えたものと備えないものがあり、送受話器２２を持たない端末装置２はハンズフリー電話機能を備えている。そして、ハンズフリー電話即ち音声通話の開始を指示するための通話ボタン２３を備えている。
【０００８】
図２は、端末装置２のブロック構成を示しており、２５は音声通話機能を奏する電話手段、２６は送受話器２２のオフフックを検出するオフフック検出手段、２７はあらかじめ登録した通話相手の名前と電話番号とを記憶する電話番号記憶手段であり、内蔵のＲＯＭやフラッシュメモリあるいは交換可能なカード型記憶媒体等が使用される。２８はオフフック検出手段２６がオフフックを検出したことに応じて電話番号記憶手段２７から登録内容を読み出し、表示制御手段２９を介して表示手段に通話先のリストを表示するリスト表示制御手段、そして、２９は表示手段への表示出力を制御する表示制御手段である。
【０００９】
図３は、電話番号記憶手段２７に記憶した電話番号リストの例である。少なくとも通話先の氏名または名称と、その電話番号とを対にして記憶するものであり、利用者は通話する可能性がある相手をあらかじめ登録しておき、電話帳として利用することができる。
【００１０】
次に、端末装置２の動作を図４のフローチャートを参照して説明する。利用者が電話を掛けようと端末装置２の送受話器２２を持ち上げると、オフフック検出手段２６がそれを検知して検出信号をリスト表示制御手段２８に出力する（ステップＳ１）。リスト表示制御手段２８はそれに応じて、電話番号記憶手段２７に登録されているデータを読み出し、それを表示制御手段２９に指示して表示手段にリスト表示させる（同Ｓ２）。画面表示例としては図３に示すようなものとなる。ここで、実施例装置では、利用者は端末装置２のカーソルキー２４を使って、表示されたリスト上の反転カーソルを移動し、所望の通話相手を選択・指定できるようになっている。そして、通話相手を選択した後、利用者がダイヤルを指示する操作ボタン２４を押下すると（同Ｓ４；Ｙｅｓ）、リスト表示制御手段２８はそれに応じて、選択された通話先の電話番号を電話手段２５に伝えて電話を掛けるように指示する。電話手段２５はダイヤリングして発呼する（同Ｓ５）ので、利用者は相手と通話できるようになる（同Ｓ６）。尚、ステップＳ４において利用者は、表示された電話番号を直接キーインして自分でダイヤルすることもできるものである。
【００１１】
ところで、送受話器２２の備わっていない端末装置２の場合、利用者はハンズフリー電話を利用するとき通話ボタン２３を押下する。これはオフフックに相当するのでオフフック検出手段２６が通話ボタン検出手段として機能し、検出信号をリスト表示制御手段２８に出力する。これに応じてリスト表示制御手段２８は、前述したように通話先のリストを表示し、送受話器２２のある端末装置２と同様に動作するものである。
【００１２】
このように実施例では、利用者が送受話器２２を持ち上げると自動的に登録した通話先のリストを表示し、さらに利用者がそのリスト上で通話相手を選択・指定するだけで電話が掛けられるものである。
【００１３】
【発明の効果】
本発明によれば、電話を掛けようとする際に必ず行うオフフックまたは通話ボタンの押下に応じて通話先のリスト即ち電話帳を自動的に表示するようにしたので、利用者は特に何もしなくても、つまり新たな操作を憶えなくても電話帳機能を利用できるものである。また、電話帳を表示させるための操作ボタンを新たに設ける必要もないものである。
【図面の簡単な説明】
【図１】実施例通報システムの概略構成を示す図である。
【図２】実施例の端末装置のブロック構成を示す図である。
【図３】実施例における電話番号記憶手段に記憶した電話番号リストの例である。
【図４】実施例における端末装置の動作を示すフローチャートである。
【符号の説明】
１　通信網　　２　端末装置　　２２　送受話器　　２３　通話ボタン　　２５　電話手段　　２６　オフフック検出手段　　２７　電話番号記憶手段　　２８　リスト表示制御手段
【図１】
2004096604.tif 000003
【図２】
2004096604.tif 000004
【図３】
2004096604.tif 000005
【図４】
2004096604.tif 000006